(57)【要約】      （修正有）【課題】家屋の上階の崩落等の強い衝撃を受けても破壊されない耐震性能を有し身を護れるシェルター空間を保持できる耐震防護工作物を提供することを目的とする。【解決手段】複数の構成部材を組み合わせて作製され、前記複数の構成部材のうち少なくとも一つの構成部材は、基材７およびこの基材７を覆うように基材と一体化された高強度繊維シート８によって形成された部材が複数集合化されて構成されていることを特徴とする耐震防護工作物。【選択図】図２
2020105872.tif 000002
【特許請求の範囲】
【請求項１】
複数の構成部材を組み合わせて作製され、前記複数の構成部材のうち少なくとも一つの構成部材は、基材およびこの基材を覆うように基材と一体化された高強度繊維シートによって形成された部材が複数集合化されて構成されていることを特徴とする耐震防護工作物。
【発明の詳細な説明】
【技術分野】
【０００１】
本発明は、家屋内に置かれる家具などの工作物の耐震性能を高める技術に関する。
【背景技術】
【０００２】
阪神淡路大地震による死者の約3/4は家屋倒壊による圧死が原因であった。また首都直下地震はいつ起こってもおかしくないといわれる状態が続いており、国や自治体も既存建物の耐震化を促進させてきている。しかし家屋の耐震化には個人負担も大きいため十分な耐震化がなされていない家屋も多く、多くの人々にとり家屋倒壊対策は喫緊の課題となっている。
【０００３】
このため地震等により家屋が倒壊する事態に見舞われたときに、建物内に居る人の命を護れる手段が求められており、身を護れるシェルター空間を備える耐震家具のような工作物に期待がかかる。
【０００４】
家具にはテーブル、机、二段ベッドなどのような身を隠せるシェルター空間を備えているものもあれば、箪笥のようにそのような空間を備えていないが破壊されなければ周りにシェルター空間になり得る一定の空間が確保され得るものもある。後者のような家具でも阪神淡路大震災の際にその周りの空間が命を護った例がいくつか報告されており、耐震性能の優れた家具のような工作物が求められている。
【０００５】
耐震性能を向上させる方法として建築物などの場合は建物の劣化した部分や加重のかかる部分に高強度繊維シートを貼る、巻くなどする方法が効果的であり、ここから家具などにも高強度繊維シートを貼ることでその家具の耐震性能を向上させる、というアイデアが考えられる。
【先行技術文献】
【特許文献】
【０００６】
【特許文献１】特開２０１５−２１１７６９
【発明の概要】
【発明が解決しようとする課題】
【０００７】
しかし上記の家具の場合、地震等で上階の崩落等で受けた場合の衝撃の加わる方向や強さは様々であり、基材に高強度繊維シートを貼っただけの家具などの工作物ではこれらの衝撃を受けた時に必ずしも破損しない強度を保証することは難しい。かといって強度を上げようとすると基材を太くしたり厚くしたりすることとなり重くもなり美観上も使い勝手上も好ましいものとはならない。
【課題を解決するための手段】
【０００８】
本発明は、複数の構成部材を組み合わせて作製され前記複数の構成部材のうち少なくとも一つの構成部材は、基材およびこの基材を覆うように基材と一体化された高強度繊維シートによって形成された部材が複数集合化されて構成されることを特徴とした耐震防護工作物である。
【発明の効果】
【０００９】
本発明の耐震防護工作物は、家屋の上階の崩落等の衝撃を受けても破壊されない工作物とすることができ、身を護るためのシェルター空間を保持することができる。
【００１０】
さらに基材として木材や強化ダンボールなどの軽量の部材を用い高強度繊維シートとして軽量で強靭なパラ系アラミド繊維シートを用いることにより重厚長大にならず美観も失われず移動等も容易な工作物にすることができるため、テーブルや机、ベッドといった家具も耐震防護工作物になり得る。
【図面の簡単な説明】
【００１１】
【図１】本発明の実施例であるテーブルを上下逆に示した外観図である。
【図２】本発明の実施例であるテーブルの脚を示す構成図である。
【図３】本発明の実施例であるテーブルの脚部の断面イメージ図である。ただしテーブルを上下逆にし床板を取り外している。
【図４】本発明の実施例であるテーブルの天板と脚との接合部に用いられる接合補強部品の外観図である。
【図５】本発明の実施例であるテーブルにおいて前記接合補強部品に使用される高強度繊維シートの裁断図である。
【図６】本発明の実施例であるテーブルの天板の断面イメージ図である。
【発明を実施するための形態】
【００１２】
本発明の耐震防護工作物の実施の形態としてテーブルを取り挙げ、その構成や構造について説明する。
【００１３】
図１は本発明の実施例であるテーブルの外観図を示す。また図２は脚３を示す構成図である。図１および図２においてテーブル１は天板２、脚３、天板２と脚３との接合部に設ける接合補強部品４、幕板５、床板６等の各構成部材から成っている。床板６を除くどの構成部材も基材７と高強度繊維シート８とを用いた構成部材としている。
【００１４】
ここで基材７とはテーブル１の構成部材のもとになる部材をいい、一般的な家具では木材であることが多い。
【００１５】
基材７として軽量な木材や強化ダンボールを、また高強度繊維シート８として軽量かつ強靭なパラ系アラミド繊維シートをそれぞれ使い、含侵接着剤９である二液性のエポキシ樹脂によって前記シート８で前記基材７を覆うようにして両者を一体化させた構成部材を用いている。
【００１６】
このように基材７、高強度繊維シート８、および含浸接着剤９を用いた構成部材の作り方の要点は、刷毛などを用いて基材７および高強度繊維シート８の両面に均一にかつ空気が入り込まないように含浸接着剤９を塗り込み、また前記シート８を弛みや皺が生じないようにして基材７に覆うように接着させることが強度性能を持たせる上で望ましい。
【００１７】
なお、含浸接着剤９は二液性のものであれば本剤と硬化剤とを規定の比率で均一に混ぜ合わせ規定時間内に前記基材７および前記シート８の各部分に塗布して両者を接着させる。また塗布終了後は一定の乾燥時間を設けることが望ましい。
【００１８】
高強度繊維シート８にも一方向に編んだ一方向性のものと二方向に編んだ二方向性のものとがありどちらも目付量の異なるものがあるが、どういうものを選ぶかは適用する部位に要求される耐力に応じて選択するのが望ましい。
【００１９】
脚３は主として上方向からの強い衝撃を受け止めそれに耐えなければならない重要な部位であるがその形状から座屈し易い。従って、それぞれの脚３は前記基材７およびこの基材７を覆うように基材７と一体化された高強度繊維シート８によって形成された部材を複数集合させ構成させることにより衝撃に耐える強度を持たせることができる。
【００２０】
ここで図２および図３に示すように脚３の構成部材は、断面が四角形で細長い形状の基材７を軽量なパラ系アラミド繊維シート８で覆うように一体化させたものを複数、例えば４つ集合させ一体化させたことを特徴としており、複数集合させることを前提に上記の一つ一つの基材７を細くすることにより脚３はさほど太くせずとも強度を向上させることができている。
【００２１】
この脚３の基材７の一つ一つが高強度繊維シート８に巻かれ、それを四つ集めて束にしさらにその外側を高強度繊維シート８で多重に巻いた構造にしている。しかもこの構造を一枚の高強度繊維シート８によって成すことにより脚３を座屈しにくくしている。なお、高強度繊維シート８を多重に巻いた部分を図３では分かり易く点線で示している。
【００２２】
前記したように脚３は前記シート８で覆われた基材７を複数集合化させ一体化させた構成部材にしているが、これを前記シート８でさらに外周に巻くように多重に覆うようにすることでさらに座屈し難いものとすることができる。なお、座屈し難さについていえば、脚３単体でみればその断面形状は円形であることが理想であり四辺形の場合は正方形が優れている。
【００２３】
次に図４、図５および図６を用いて天板２と脚３との接合部に用いる接合補強部品４について述べる。接合補強部品とは天板２と脚３との接合部分が機械的な力に対して破壊されにくくするためのものである。天板２と脚３との接合部はその接合面積が大きいほど破壊され難いためその接合面積を大きくすることが望ましい。このため天板２と脚３との両方に面で接する平面部分を持つ接合補強部品４を設けている。ここで接合補強部品４が脚３に接するというものには幕板５をはさんで接することも含める。この接合補強部品４も前記の脚３のように前記シート８で覆われた基材７を複数集合させ一体化させることにより複数集合させないものと比較して、天板２と脚３との接合部が外部からの機械的な衝撃を受けても破壊されないようにすることができる。
【００２４】
次に図６を用いて天板２について述べる。天板２は脚３同様、複数の構成部材を内部に含む。天板２はその面積が広く上方向からの衝撃を直接的に受けため破損が生じ易い部位であるため、脚３同様に前記基材７を前記シート８で覆うように一体化された部材を複数集合させた構成部材とすることが外部からの機械的な衝撃に対する耐力を上げる点で望ましい。
【００２５】
図６で示す幕板５は天板２を強化し天板２と脚３との接合を強化するものであるため、他の構成部材と同様に前記基材７とそれを覆うように前記シート８で覆うなどした構成部材であることが望ましい。
【００２６】
天板２、脚３、床板６または床面で囲まれた空間は、地震などで建物が揺れたりした場合に身を隠せるための空間でありシェルター空間１０という。床板６はシェルター空間１０に居る人が地震等でテーブル１が動いたときにテーブル１と一緒に動いてシェルター空間１０からはみ出されないようにするためのものである。床板６を設けずにテーブル１を床面に固定する方法もある。
【００２７】
基材７と一体化させるように用いる高強度繊維シート８としては、鉄などと比較し同じ重さで約5倍の引張強度を持ち、耐摩耗性、耐衝撃性、耐熱性、寸法安定性、加工容易性、非導電性、電波透過性などの点で優れているパラ系アラミド繊維シートが適しているが、凹凸などのない平面部分に炭素繊維シートを用いるのも効果的である。
【００２８】
特に強度の要求される部分については重厚長大にならないように複数の小さな基材７を用い、その一つ一つの基材７を高強度繊維シート８で覆うように一体化された部材としこれを複数集合化された構成にすると効果的である。
【００２９】
本耐震防護工作物に用いられる基材の材質は規定あるいは限定されるものではなくまた複数種類の基材の混在でも構わないが、家具として使うものは軽量であることが望まれる。
【００３０】
また、本発明の耐震防護工作物の構成部材には、基材７とこの基材７を覆うように基材と一体化された高強度繊維シート８とによって形成された構成部材が使われているが、本発明の耐震防護工作物のすべての部位がこのような構成部材である必要はない。
【００３１】
高強度繊維シート８は薄く軽量であるため、軽量な木材や強化ダンボールのような小さな基材の一つ一つに前記高強度繊維シート８を覆い一体化したものを複数束ねて一体化した構成部材でもさほど大きくも重くもならずに、外部からの機械的な力への耐力を格段に向上させることができる。
【００３２】
前記高強度繊維シート８を前記各構成部材の外側から多重に覆うように一体化することによりさらに強度を向上させることができる。
【００３３】
このように基材７も軽量の部材とし、また高強度繊維シート８として軽量で強靭なパラ系アラミド繊維シートを用いることにより重厚長大にならない工作物にすることができるため、テーブルや机、ベッドといった家具としても移動など取扱いが容易にでき美観もあるものにすることができる。
【００３４】
なお、基材７と前記シート８とを一体化させるため、また前記の小さな一つ一つの基材７を前記シートで覆うように一体化した部材を複数集合しそれらを一体化させるために用いる含浸接着剤９としてはエポキシ樹脂が望ましい。
【００３５】
以上、述べてきたように、本発明の耐震防護工作物は、家屋の上階の崩落等による衝撃を受けてもそれに耐えられる強度を備え、身を護れるシェルター空間を保持できる耐震防護工作物であり、重厚長大にならずに実現できるため、美観も得られ移動させ易いなど取り扱いも容易なため平時は家具として構成することができる。
【００３６】
テーブルを実施例として述べてきたが、他に机や二段ベッドなど、本来身を隠せる空間を備えている家具としての適用が考えられる。他にも和テーブル、和机、箪笥などのように身を隠せる空間は備えていないが破壊されなければ周りにシェルター空間になり得る一定の空間が確保され得るものも考えられる。もちろんこれらのような家具機能を持たない防護専用目的の工作物とすることもできる。
【産業上の利用可能性】
【００３７】
本発明の耐震防護工作物は耐震性能を有する家具として実現させることができる。
【符号の説明】
【００３８】
１  テーブル
２  天板
３  脚
４  接合補強部品
４ａ  接合補強部品の天板２に接する面
４ｂ  接合補強部品の脚３あるいは幕板５に接する面
５  幕板
６  床板
７  基材
８  高強度繊維シート
９  含侵接着剤
１０  シェルター空間
【図１】
2020105872.tif 000003
【図２】
2020105872.tif 000004
【図３】
2020105872.tif 000005
【図４】
2020105872.tif 000006
【図５】
2020105872.tif 000007
【図６】
2020105872.tif 000008